(57)【特許請求の範囲】
【請求項１】
プレス機(1)の金型(2)に対して昇降するパンチ(3)の芯出しをしてパンチ(3)の位置を決めるプレス機のパンチ位置決め機構に於いて、上記パンチ(3)の上方にパンチ(3)の上部を装着するホルダー(4)を設け、このホルダー(4)を一体的に固定したパンチガイド(5)を設け、パンチガイド(5)を上下摺動自在の摺動盤(7)上で支持するパンチガイドホルダー(8)を設け、摺動盤(7)の下部にパンチガイド補助プレート(11)を設け、ホルダー(4)とパンチガイドホルダー(8)とをパンチガイド支持シャフト(12)にて支持し、パンチガイド補助プレート(11)を摺動盤(7)にボルト止めして各パンチ(3)の位置決めをサポートすると共にパンチガイド(5)の周りの固定ボルト(10)をパンチガイドホルダー(8)上方より摺動盤(7)に締め付けつつパンチ(3)の芯出しを調整しパンチを位置決めすることを特徴としたプレス機のパンチ位置決め機構。
【発明の詳細な説明】
【０００１】
【発明の属する技術分野】
本発明はプレス機の金型に対するパンチの位置決め機構に関するものである。
【０００２】
【従来の技術】
従来、プレス機、特に金型に対して複数のパンチを有する単発プレス機にあっては、図４に示すように、下型である金型２に対し、複数のパンチ３，３を設け、この各パンチ３の上部をそれぞれ二分割したホルダー４，４にてガタを持たせて挟み付け、この各ホルダー４をそれぞれ各パンチガイド５に連結し、このホルダー４とパンチガイド５との間のホルダー４上端を補助プレート６にて支持している。更に、各パンチガイド５をそれぞれパンチガイドホルダー８に保持して、この各パンチガイドホルダー８を上下摺動自在の摺動盤７に支持している。
【０００３】
更に又、補助プレート６を支持シャフト９にて摺動盤７に支持している。そして、二分割のホルダー４に対して各パンチ３を芯出しして固定する固定ボルト１０を設け、この固定ボルト１０をホルダー４の対角線上のコーナーの四個所にそれぞれ下側より上向きに補助プレート６に螺着し、ホルダー４と共にパンチ３を固定している。このホルダー４の四個所の固定ボルト１０の締め具合によって、金型２に対して芯出しされたパンチ３の位置を微調整して位置決めを行っている。
【０００４】
【発明が解決しようとする課題】
ところが、このパンチの芯出しをして金型との位置決めをするには、固定ボルトをホルダーの下側から上向きに螺着することとなるために、固定ボルト用のボルト孔及び固定ボルトを目視できずに非常にやり難く、多くの作業時間を費やすこととなっていた。又、特に金型に対して複数のパンチの際には、各ホルダーに対して対角線上のコーナーの四個所に固定ボルトを螺着しなければならず、隣接するパンチの固定ボルト間が密接しているために、作業者の手及び締付工具が入り辛く、非常に煩わしい作業となっていた。
【０００５】
更に、各パンチの位置決めのための固定ボルトを最終増し締めする際には、各パンチを金型から抜き出さなければ固定ボルトを締め付けできない構造であるために、各パンチと金型との距離を大きくとらなければ作業性が悪いので、固定ボルトの増し締め時にパンチの芯出し位置が狂い、パンチの位置決め作業が試行錯誤の状態となって容易にできないという問題点があった。
【０００６】
そこで、本発明はこのような従来のプレス機のパンチ位置決め機構が有していた課題を解決したものであって、固定ボルトを目視可能で締め付けでき、煩わしい作業もなく、極めて簡単で短時間に作業ができ、しかもパンチの芯出し位置のズレもなく容易に行うことができることを目的としたプレス機のパンチ位置決め機構を提供するにある。
【０００７】
【課題を解決するための手段】
上記目的を達成するために、本発明のプレス機のパンチ位置決め機構はプレス機１の金型２に対して昇降するパンチ３の芯出しをしてパンチ３の位置を決めるプレス機のパンチ位置決め機構に於いて、上記パンチ３の上方にパンチ３の上部を装着するホルダー４を設け、このホルダー４を一体的に固定したパンチガイド５を設け、パンチガイド５を上下摺動自在の摺動盤７上で支持するパンチガイドホルダー８を設け、摺動盤７の下部にパンチガイド補助プレート１１を設け、ホルダー４とパンチガイドホルダー８とをパンチガイド支持シャフト１２にて支持し、パンチガイド補助プレート１１を摺動盤７にボルト止めして各パンチ３の位置決めをサポートすると共にパンチガイド５の周りの固定ボルト１０をパンチガイドホルダー８上方より摺動盤７に締め付けつつパンチ３の芯出しを調整しパンチを位置決めする構成としている。
【０００８】
【発明の実施の形態】
以下、本発明の実施例について図に基づき説明する。
図中、図１は本発明実施例を示す概略平面図、図２は図１のＡ−Ａ断面図、図３は図１のＢ−Ｂ断面図、図４は従来例を示す縦断面図である。プレス機１は図２及び図３に示すように、金型２に対して複数のパンチ３，３を設け、この各パンチ３の上部を各ホルダー４に差し込んでパンチ３をホルダー４内に連結している。このパンチ３は金型に対して複数でなくて一つであってもよい。
【０００９】
このパンチ３を連結したホルダー４はパンチガイド５に一体的に固定している。７は摺動軸１３に沿って上下摺動自在な摺動盤であり、８はこの摺動盤７を貫通し、中央にパンチガイド５を貫通したパンチガイドホルダーである。このパンチガイドホルダー８によって貫通したパンチガイド５を摺動盤７上方より支えている。１２は下端をホルダー４に固定し、上端を摺動盤７を貫通して摺動盤７上のパンチガイドホルダー８に装着したパンチガイド支持シャフトである。
【００１０】
１１はパンチガイド補助サポートであって、摺動盤７の下部に接当して摺動盤７より下方に垂下したパンチガイド５と共にパンチガイドホルダー８を支えている。このパンチガイド補助サポート１１はボルト１４にて摺動盤７に螺着することにより支え持つパンチガイド５と共にパンチ３の位置決めをサポートしている。摺動盤７上のパンチガイドホルダー８には図１に示すように、パンチガイド５の周りの対角線上のコーナーの四個所に固定ボルト用の孔を設けており、この孔に固定ボルト１０を摺動盤７内まで螺着している。
【００１１】
次に、パンチ３の芯出し位置決めに際しては、先ず摺動盤７を摺動軸１３に沿って降下して、金型２のパンチ孔１５内にパンチ３の先端を差し入れた状態で、パンチガイドホルダー８上よりパンチガイド５周りの四個所の固体ボルト１０を螺着、パンチガイドホルダー８を摺動盤７に締め付けつつパンチ３の先端中央が金型２のパンチ孔１５内中央に位置するまで、四つの固体ボルト１０の螺着を調整する。
【００１２】
又、この調整後、ボルト１４を螺着して、パンチガイド補助サポート１１を摺動盤７に締め付けつつ、摺動盤７真下のパンチガイドホルダー８と共にパンチガイド５を保持サポートする。パンチ３の芯出し位置決めが終了後、摺動盤７を摺動軸１３に沿って上昇すれば完了する。
【００１３】
このパンチ３の芯出し位置決めに際して、金型２のパンチ孔１５にパンチ３の先端を差し入れた状態で調整したが、金型２より離れた上方にパンチ３の先端が位置した状態でパンチ３の芯出し位置決めを行っても何ら支障をきたすものではない。
【００１４】
以上本発明の代表例と思われる実施例について説明したが、本発明は必ずしもこれらの実施例構造のみに限定されるものではなく、本発明にいう前記の構成要件を備え、かつ本発明にいう目的を達成し、以下にいう効果を有する範囲内において適宜改変して実施することができるものである。
【００１５】
【発明の効果】
以上の説明から既に明らかなように、本発明にいうところのプレス機のパンチ位置決め機構はプレス機の金型に対して昇降するパンチの芯出しをしてパンチの位置を決めるプレス機のパンチ位置決め機構に於いて、上記パンチの上方にパンチの上部を装着するホルダーを設け、このホルダーを一体的に固定したパンチガイドを設け、パンチガイドを上下摺動自在の摺動盤上で支持するパンチガイドホルダーを設け、摺動盤の下部にパンチガイド補助プレートを設け、ホルダーとパンチガイドホルダーとをパンチガイド支持シャフトにて支持し、パンチガイド補助プレートを摺動盤にボルト止めして各パンチの位置決めをサポートすると共にパンチガイドの周りの固定ボルトをパンチガイドホルダー上方より摺動盤に締め付けつつパンチの芯出しを調整しパンチを位置決めする構成としているので、固定ボルト用の孔及び固定ボルト、締付工具を目視できるために、締付作業が容易でしかも短時間に締付作業を行うことができる。又、パンチガイドの周りの四個所が目視できるために、隣接する固定ボルト間が密接していても、締付作業を煩らわすことなく、簡単に締付作業を行うことができる。更に、金型内にパンチを差し入れた状態でも固定ボルトを螺着することができるために、パンチの芯出し位置を狂わすことがなく、容易に芯出し位置決めを行うことができるという顕著な効果を期待することが出来るに至ったのである。
【図面の簡単な説明】
【図１】本発明実施例を示す概略平面図。
【図２】図１のＡ−Ａ断面図。
【図３】図１のＢ−Ｂ断面図。
【図４】従来例を示す縦断面図。
【符号の説明】
１  プレス機
２  金型
３  パンチ
４  ホルダー
５  パンチガイド
７  摺動盤
８  パンチガイドホルダー
１０  固定ボルト
１１  パンチガイド補助プレート
１２  パンチガイド支持シャフト
１３  摺動軸
１４  ボルト
１５  パンチ孔
【図１】
0003644030.tif 000002
【図２】
0003644030.tif 000003
【図３】
0003644030.tif 000004
【図４】
0003644030.tif 000005